(57)【要約】      （修正有）【課題】ゴルフボールの取り出し、チェンジが容易で便利なボールホルダーを提供する。【解決手段】ボールホルダー２は、ぬいぐるみ４と、クリップ６とを有している。ぬいぐるみは、前左肢１４、前右肢１６、後左肢１８、後右肢２０及び羽根８を有している。クリップは、左片２２、右片２４及びスプリング２６を有している。左片は、上左クロー３０、下左クロー３２及び左レバー３４を有し、右片は、上右クロー４０、下右クロー４２及び右レバー４４を有している。前左肢１４に上左クロー３０が収容され、前右肢１６に上右クロー４０が収容され、後左肢１８に下左クロー３２が収容され、後右肢２０に下右クロー４２が収容されている。【選択図】図３
0003226717.tif 000002
【実用新案登録請求の範囲】
【請求項１】
ボールを挟みつけるためのクリップを備えており、
このクリップが、
（１）第一クロー、
（２）上記第一クローに対向する第二クロー、
及び
（３）上記第二クローが上記第一クローに近づく方向の付勢力を有するスプリング
を有するボールホルダー。
【請求項２】
上記クリップが、上記第二クローが上記第一クローから離れる方向に、上記第一クロー又は上記第二クローを移動させるレバーをさらに備えた請求項１に記載のボールホルダー。
【請求項３】
ぬいぐるみをさらに備えており、
上記第一クローの全部又は一部、及び上記第二クローの全部又は一部が、上記ぬいぐるみに収容されている請求項１又は２に記載のボールホルダー。
【請求項４】
上記ぬいぐるみが、左肢とこの左肢に対向する右肢とを有しており、
上記第一クローの全部又は一部が上記左肢に収容されており、
上記第二クローの全部又は一部が上記右肢に収容されている請求項３に記載のボールホルダー。
【請求項５】
上記クリップが、上第一クロー、下第一クロー、上第二クロー及び下第二クローを有しており、
上記ぬいぐるみが、前左肢、後左肢、前右肢及び後右肢を有しており、
上記上第一クローの全部又は一部が上記前左肢に収容されており、
上記下第一クローの全部又は一部が上記後左肢に収容されており、
上記上第二クローの全部又は一部が上記前右肢に収容されており、
上記下第二クローの全部又は一部が上記後右肢に収容されている請求項４に記載のボールホルダー。
【請求項６】
吊り下げ具をさらに備えた請求項１から５のいずれかに記載のボールホルダー。
【請求項７】
上記吊り下げ具がカラビナである請求項６に記載のボールホルダー。
【考案の詳細な説明】
【技術分野】
【０００１】
本考案は、ゴルフのプレー等において使用される、ボールホルダーに関する。
【背景技術】
【０００２】
ゴルフの競技では、ゴルフボールが池や林に飛び込むことがある。この場合、プレーヤーがゴルフボールを回収できないことが多い。さらに、深いラフに入ったゴルフボールを、プレーヤーが見失うこともある（いわゆるロストボール）。このような場合、プレーヤーは、他のゴルフボールにてプレーを続行する。換言すれば、プレーヤーは、ゴルフボールをチェンジする。ゴルフボールの表面が損傷したときも、プレーヤーは、ゴルフボールをチェンジする。プレーヤーはゴルフ場に、予備のゴルフボールを持参する。
【０００３】
予備のゴルフボールは、ボールホルダーに収納される。プレーヤーは、ボールホルダーを開けて、ゴルフボールを取り出す。予備のゴルフボールが、キャディバッグのポケットに収容されることもある。この場合プレーヤーは、このポケットのファスナーを開けてゴルフボールを取り出す。ボールホルダーの一例が、実用新案登録第３１１９５３６号公報に開示されている。
【先行技術文献】
【特許文献】
【０００４】
【特許文献１】実用新案登録第３１１９５３６号公報
【考案の概要】
【考案が解決しようとする課題】
【０００５】
ゴルフボールの取り出しに、急を要する場合がある。この場合において、ホルダーやポケットを開けてゴルフボールを取り出す動作は、手間である。
【０００６】
本考案の目的は、ボールのチェンジに便利なホルダーの提供にある。
【課題を解決するための手段】
【０００７】
本考案に係るボールホルダーは、ボールを挟みつけるためのクリップを有する。このクリップは、
（１）第一クロー、
（２）上記第一クローに対向する第二クロー、
及び
（３）上記第二クローが上記第一クローに近づく方向の付勢力を有するスプリング
を有する。
【０００８】
好ましくは、クリップは、第二クローが第一クローから離れる方向に、第一クロー又は第二クローを移動させるレバーをさらに有する。
【０００９】
好ましくは、ボールホルダーは、ぬいぐるみをさらに備える。第一クローの全部又は一部、及び第二クローの全部又は一部は、このぬいぐるみに収容されている。
【００１０】
好ましくは、ぬいぐるみは、左肢とこの左肢に対向する右肢とを有する。第一クローの全部又は一部は、左肢に収容される。第二クローの全部又は一部は、右肢に収容される。
【００１１】
好ましくは、クリップは、上第一クロー、下第一クロー、上第二クロー及び下第二クローを有する。ぬいぐるみは、前左肢、後左肢、前右肢及び後右肢を有する。上第一クローの全部又は一部は、前左肢に収容される。下第一クローの全部又は一部は、後左肢に収容される。上第二クローの全部又は一部は、前右肢に収容される。下第二クローの全部又は一部は、後右肢に収容される。
【００１２】
好ましくは、ボールホルダーは、吊り下げ具をさら有する。好ましい吊り下げ具は、カラビナである。
【考案の効果】
【００１３】
本考案に係るボールホルダーでは、第一クローと第二クローとの間にボールが挟まれることで、このホルダーにボールがキープされる。第二クローが第一クローから離されることで、このホルダーからボールが取り出される。この取り出しは、容易である。
【図面の簡単な説明】
【００１４】
【図１】図１は、本考案の一実施形態に係るボールホルダーが示された正面図である。
【図２】図２は、図１のボールホルダーが示された左側面図である。
【図３】図３は、図１のボールホルダーが示された平面図である。
【図４】図４（ａ）は図１のボールホルダーのクリップが示された正面図であり、図４（ｂ）はその背面図である。
【図５】図５は、図４（ａ）のクリップが示された平面図である。
【図６】図６は、図５のクリップが示された平面図である。
【図７】図７は、図２のボールホルダーが示された左側面図である。
【図８】図８は、図７のボールホルダーがゴルフボールと共に示された左側面図である。
【考案を実施するための形態】
【００１５】
以下、適宜図面が参照されつつ、好ましい実施形態に基づいて本考案が詳細に説明される。
【００１６】
図１−３に、ボールホルダー２が示されている。このボールホルダー２は、ぬいぐるみ４と、クリップ６とを有している。ぬいぐるみ４は、動物等のキャラクターである。本実施形態では、天使の羽根８を有する子犬が、キャラクターである。
【００１７】
ぬいぐるみ４の表面は、布である。この布が縫われることで、キャラクターの形状が形成されている。この布の内部は、空洞である。この空洞に、詰め物が充填されている。典型的な詰め物は、コットンである。
【００１８】
ぬいぐるみ４は、ボディ１０、ヘッド１２、前左肢１４、前右肢１６、後左肢１８、後右肢２０及び羽根８を有している。ヘッド１２は、ボディ１０の上方に位置している。前左肢１４、前右肢１６、後左肢１８、後右肢２０及び羽根８のそれぞれは、ボディ１０から延びている。前左肢１４、前右肢１６、後左肢１８、後右肢２０及び羽根８のそれぞれの空洞は、ボディ１０の空洞と連通している。
【００１９】
前右肢１６は、ボディ１０の中心線ＣＬ（図２参照）に対して、前左肢１４と概ね鏡面対称である。換言すれば、前右肢１６は、前左肢１４と対向している。前左肢１４及び前右肢１６は、１つの対を形成している。
【００２０】
後右肢２０は、ボディ１０の中心線ＣＬ（図２参照）に対して、後左肢１８と概ね鏡面対称である。換言すれば、後右肢２０は、後左肢１８と対向している。後左肢１８及び後右肢２０は、１つの対を形成している。
【００２１】
このように、本実施形態では、ぬいぐるみ４は２対の肢を有している。対の数は１でもよく、３以上でもよい。
【００２２】
図４（ａ）はクリップ６が示された正面図であり、図４（ｂ）はその背面図であり、図５はその平面図である。このクリップ６は、左片２２、右片２４及びスプリング２６を有している。
【００２３】
左片２２は、左ジョイント２８、上左クロー３０（第一クロー）、下左クロー３２（第一クロー）及び左レバー３４を有している。図５では、下左クロー３２は、上左クロー３０に隠れている。上左クロー３０及び下左クロー３２は、それぞれ、左ジョイント２８から前方（図４（ａ）における左側）へと延びている。左レバー３４は、左ジョイント２８から後方（図４（ａ）における右側）へと延びている。左ジョイント２８は、２つのクロー３０、３２と左レバー３４とを連結する。左ジョイント２８、上左クロー３０、下左クロー３２及び左レバー３４は、一体的に成形されている。左片２２の好ましい材質として、硬質合成樹脂及び金属が例示される。左片２２には、左長穴３６が形成されている。この左長穴３６に、スプリング２６が通されている。
【００２４】
右片２４は、右ジョイント３８、上右クロー４０（第二クロー）、下右クロー４２（第二クロー）及び右レバー４４を有している。図５では、下右クロー４２は、上右クロー４０に隠れている。上右クロー４０及び下右クロー４２は、それぞれ、右ジョイント３８から前方（図４（ｂ）における右側）へと延びている。右レバー４４は、右ジョイント３８から後方（図４（ｂ）における左側）へと延びている。右ジョイント３８は、２つのクロー４０、４２と右レバー４４とを連結する。右ジョイント３８、上右クロー４０、下右クロー４２及び右レバー４４は、一体的に成形されている。右片２４の好ましい材質として、硬質合成樹脂及び金属が例示される。右片２４には、右長穴４６が形成されている。この右長穴４６に、スプリング２６が通されている。
【００２５】
図５において符号４８は、ヒンジを示す。右片２４は、左片２２と概ね対称な形状を有する。但し、ヒンジ４８の近傍において、右片２４は、左片２２と異なった形状を有する。ヒンジ４８の近傍において、左片２２は凹を有し、右片２４は凸を有する。凹に凸が嵌り込むことで、ヒンジ４８が形成されている。
【００２６】
上右クロー４０は、クリップ６の中心線ＣＬ（図５参照）に対して、上左クロー３０と鏡面対称である。換言すれば、上右クロー４０は、上左クロー３０と対向している。上左クロー３０及び上右クロー４０は、１つの対を形成している。
【００２７】
下右クロー４２は、クリップ６の中心線ＣＬ（図５参照）に対して、下左クロー３２と鏡面対称である。換言すれば、下右クロー４２は、下左クロー３２と対向している。下左クロー３２及び下右クロー４２は、１つの対を形成している。
【００２８】
このように、本実施形態では、クリップ６は２対のクローを有している。対の数は１でもよく、３以上でもよい。
【００２９】
図５に示されるように、スプリング２６は、左端５０と右端５２とを有している。左端５０は左片２２と当たっており、右端５２は右片２４と当たっている。スプリング２６は、左端５０において、左片２２を右側（図５における上側）に押している。スプリング２６は、右端５２において、右片２４を左側（図５における下側）に押している。スプリング２６は、上右クロー４０が上左クロー３０に近づき、かつ下右クロー４２が下左クロー３２に近づく方向に、左片２２及び右片２４を付勢している。換言すればスプリング２６は、上右クロー４０が上左クロー３０に近づき、かつ下右クロー４２が下左クロー３２に近づく方向の、付勢力を有している。スプリング２６の好ましい材質は、金属である。典型的な金属は、ステンレススチールである。
【００３０】
このクリップ６は、洗濯物を干すためのクリップ（いわゆる洗濯ばさみ）に類似の構造を有する。市販の洗濯ばさみが、ボールホルダー２に転用されうる。
【００３１】
図６にも、図５と同様、クリップ６が示されている。図５に示された状態から図６に示された状態への移行のとき、プレーヤーは、指で左レバー３４及び右レバー４４を抓む。プレーヤーの抓みにより、ヒンジ４８を中心として左レバー３４が、その後端が中心線ＣＬに近づく方向に回転する（図５における反時計回り）。プレーヤーの抓みにより、ヒンジ４８を中心として右レバー４４が、その後端が中心線ＣＬに近づく方向に回転する（図５における時計回り）。これらの回転は、スプリング２６の付勢力に抗してなされる。回転により、スプリング２６は変形する。この回転により、上右クロー４０の前端は上左クロー３０の前端から離れ、下右クロー４２の前端は下左クロー３２の前端から離れる。図６におけるクロー間距離Ｌ２は、図５におけるクロー間距離Ｌ１よりも大きい。
【００３２】
図６に示された状態から図５に示された状態への移行のとき、プレーヤーは、左レバー３４及び右レバー４４を抓む力を弱める。この指の力にスプリング２６の復元力が勝ることにより、ヒンジ４８を中心として左レバー３４が、その後端が中心線ＣＬから離れる方向に回転する（図６における時計回り）。さらに、ヒンジ４８を中心として右レバー４４が、その後端が中心線ＣＬから離れる方向に回転する（図６における反時計回り）。これらの回転により、上右クロー４０の前端は上左クロー３０の前端に近づき、下右クロー４２の前端は下左クロー３２の前端に近づく。
【００３３】
図１及び３に示されるように、クリップ６はぬいぐるみ４に収容されている。本実施形態では、クリップ６の全体が、ぬいぐるみ４に収容されている。従って、クリップ６はぬいぐるみ４から露出していない。クリップ６の一部がぬいぐるみ４に収容されてもよい。換言すれば、クリップ６の一部がぬいぐるみ４から露出してもよい。
【００３４】
図１及び３から明らかなように、前左肢１４に上左クロー３０が収容されている。上左クロー３０の全部が前左肢１４に収容されてもよく、上左クロー３０の一部が前左肢１４に収容されてもよい。
【００３５】
図１及び３から明らかなように、前右肢１６に上右クロー４０が収容されている。上右クロー４０の全部が前右肢１６に収容されてもよく、上右クロー４０の一部が前右肢１６に収容されてもよい。
【００３６】
図１及び３から明らかなように、後左肢１８に下左クロー３２が収容されている。下左クロー３２の全部が後左肢１８に収容されてもよく、下左クロー３２の一部が後左肢１８に収容されてもよい。
【００３７】
図１及び３から明らかなように、後右肢２０に下右クロー４２が収容されている。下右クロー４２の全部が後右肢２０に収容されてもよく、下右クロー４２の一部が後右肢２０に収容されてもよい。
【００３８】
以下、このボールホルダー２の使用方法が説明される。
【００３９】
まずプレーヤーは、ボールホルダー２及びゴルフボールを準備する。図２には、このボールホルダー２の、前左肢１４と前右肢１６とのピッチＰｆ１と、後左肢１８と後右肢２０とのピッチＰｂ１とが示されている。
【００４０】
プレーヤーは、指で左レバー３４及び右レバー４４を抓む。この抓みのとき、指と各レバーとの間には、羽根８が介在する。この抓みにより、前述の通り、上右クロー４０の前端は上左クロー３０の前端から離れ、下右クロー４２の前端は下左クロー３２の前端から離れる。これに伴い、前右肢１６の先端が前左肢１４の先端から離れ、後右肢２０の先端が後左肢１８の先端から離れる。換言すれば、両前肢が開き、かつ両後肢が開く。この状態のボールホルダー２が、図７に示されている。図７に示された前左肢１４と前右肢１６とのピッチＰｆ２は、図２に示されたピッチＰｆ１よりも大きい。図７に示された後左肢１８と後右肢２０とのピッチＰｂ２は、図２に示されたピッチＰｂ１よりも大きい。
【００４１】
左レバー３４及び右レバー４４を抓んだままでプレーヤーは、ゴルフボールを、ぬいぐるみ４のボディ１０に当てる。次にプレーヤーは、左レバー３４及び右レバー４４を抓む力を弱める。スプリング２６の復元力により、上右クロー４０の前端は上左クロー３０の前端に近づき、下右クロー４２の前端は下左クロー３２の前端に近づく。この復元は、四肢がゴルフボールに当接した段階で、停止する。この段階のボールホルダー２が、図８に示されている。前左肢１４、前右肢１６、後左肢１８及び後右肢２０のそれぞれは、ゴルフボール５４に当接している。スプリング２６の復元力により、前左肢１４、前右肢１６、後左肢１８及び後右肢２０が、ゴルフボール５４をしっかりと保持している。換言すれば、クリップ６が、ぬいぐるみ４を介してゴルフボール５４を挟みつけている。
【００４２】
図８に示された前左肢１４と前右肢１６とのピッチＰｆ３は、図２に示されたピッチＰｆ１よりも大きく、図７に示されたピッチＰｆ２よりもやや小さい。図８に示された後左肢１８と後右肢２０とのピッチＰｂ３は、図２に示されたピッチＰｂ１よりも大きく、図７に示されたピッチＰｂ２よりもやや小さい。
【００４３】
図８に示されるように、ボールホルダー２は、ループ５６及びカラビナ５８を有している。図１−３及び７では、ループ５６及びカラビナ５８の図示が省略されている。ループ５６は、布テープ等からなる。ループ５６は、ヘッド１２に縫い付けられている。カラビナ５８は、ループ５６を通されている。プレーヤーはこのカラビナ５８を用いて、ボールホルダー２を、キャディバッグ、乗用カート等に吊り下げる。カラビナ５８は、吊り下げ具として機能する。ボールホルダー２が、他の吊り下げ具を有してもよい。他の吊り下げ具として、チェーン、リボン、紐、面ファスナー、マグネット等が挙げられる。プレーヤーが、ボールホルダー２を自らの腰ベルトに吊り下げてもよい。
【００４４】
ゴルフボールのチェンジの必要が生じたとき、プレーヤーは、指で左レバー３４及び右レバー４４を抓む。この抓みにより、両前肢１４、１６が開き、かつ両後肢１８、２０が開く。ゴルフボール５４の保持は解除され、プレーヤーはボールホルダー２からゴルフボール５４を取り外すことができる。この操作は、極めて簡便である。プレーヤーは、迅速に、次のプレーを行うことができる。
【００４５】
ボールホルダー２が、両後肢１８、２０が開閉せず、両前肢１４、１６が開閉する機構を有してもよい。この場合、一対のクローを有するクリップ６がボールホルダー２に適用される。
【００４６】
ボールホルダー２が、両前肢１４、１６が開閉せず、両後肢１８、２０が開閉する機構を有してもよい。この場合、一対のクローを有するクリップ６がボールホルダー２に適用される。
【００４７】
クリップ６が、上左クロー３０、下左クロー３２及び１つの右クローを有してもよい。この右クローの上下方向位置は、上左クロー３０と下左クロー３２との間である。この場合、３つのクローが、ゴルフボール５４を挟みつける。
【００４８】
クリップ６が、１つの左クロー、上右クロー４０及び下右クロー４２を有してもよい。この左クローの上下方向位置は、上右クロー４０と下右クロー４２との間である。この場合、３つのクローが、ゴルフボール５４を挟みつける。
【００４９】
ぬいぐるみ４には、子犬以外の種々のキャラクターが採用されうる。猫、パンダ、レッサーパンダ、カバ、コアラ、ラッコ、サメ、ロブスター等のキャラクターが、ボールホルダー２に採用されうる。
【００５０】
キャラクターに応じて、肢以外の部位がクローによって動いてもよい。例えば、牙、顎、鼻、尻尾、顔などが、クローによって動いてもよい。
【００５１】
本明細書において、「上」、「下」、「左」及び「右」は、図４におけるＹ方向が上下方向とされ、図５におけるＺ方向が左右方向とされたときの用語である。換言すれば、「上」、「下」、「左」及び「右」は、クローが開閉する方向がＺ方向とされたときの用語である。クローが開閉する方向は、Ｚ方向に限られない。キャラクターに応じ、種々の方向にクローが開閉しうる。
【産業上の利用可能性】
【００５２】
本考案に係るボールホルダーは、グラウンドゴルフ用ボール、ケイマンゴルフ用ボール、パークゴルフ用ボール、テニスボール、卓球ボール、スカッシュボール、バドミントンシャトル等をキープしうる。
【符号の説明】
【００５３】
２・・・ボールホルダー
６・・・クリップ
８・・・羽根
１４・・・前左肢
１６・・・前右肢
１８・・・後左肢
２０・・・後右肢
２２・・・左片
２４・・・右片
２６・・・スプリング
３０・・・上左クロー
３２・・・下左クロー
３４・・・左レバー
４０・・・上右クロー
４２・・・下右クロー
４４・・・右レバー
４８・・・ヒンジ
５４・・・ゴルフボール
５６・・・ループ
５８・・・カラビナ
【図１】
0003226717.tif 000003
【図２】
0003226717.tif 000004
【図３】
0003226717.tif 000005
【図４】
0003226717.tif 000006
【図５】
0003226717.tif 000007
【図６】
0003226717.tif 000008
【図７】
0003226717.tif 000009
【図８】
0003226717.tif 000010